(57)【要約】【課題】演出部での演出をさらに多様化することのできる遊技機を提供すること。【解決手段】遊技球が入球可能な始動口と、この始動口への遊技球の入球に基づいて所定の動作を行う演出部と、が配設されるとともに、前記演出部の前方に位置するとともに、この演出部を遮蔽する遮蔽状態と、前記演出部の少なくとも一部を露出させる露出状態と、に変化する遮蔽部材を備えた遊技機であって、前記遮蔽部材の開放端面の少なくとも一部に装飾を施して、これを装飾面としたこと。【選択図】図１
2009142365.tif 000002
【特許請求の範囲】
【請求項１】
遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面の少なくとも一部に装飾を施して、これを装飾面としたことを特徴とする遊技機。
【請求項２】
遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面は、前記遮蔽状態のときには前記演出部を正面視した場合に視認不能または視認困難な状態にされるとともに、前記露出状態のときには前記遮蔽状態のときよりも前記遊技領域の前方側に向く状態にされることを特徴とする遊技機。
【請求項３】
前記開放端面または装飾面を遊技者に面するようにしたことを特徴とする請求項１または請求項２に記載のパチンコ機。
【請求項４】
前記開放端面にて当接し合う複数の遮蔽部材を備えたことを特徴とする請求項１〜請求項３のいずれかに記載の遊技機。
【請求項５】
前記遮蔽部材は、その側部に配置した案内レールによって案内するようにしたことを特徴とする請求項１〜請求項４のいずれかに記載の遊技機。
【請求項６】
前記遮蔽部材の少なくとも１つを、互いに傾動可能に連結した複数のブレードによって構成したことを特徴とする請求項１〜請求項５のいずれかに記載の遊技機。
【請求項７】
前記案内レールを、前記ブレードの外側用のものと、他のブレード用のものとに分けて、前記外側ブレード用の案内レールの開放端部を、当該遊技機の裏面側に向けたことを特徴とする請求項６に記載の遊技機。
【請求項８】
前記装飾面を光らせるようにしたことを特徴とする請求項１〜請求項７のいずれかに記載の遊技機。
【発明の詳細な説明】
【技術分野】
【０００１】
本発明は遊技機に関し、特に、演出部の前方に遮蔽部材を設けた遊技機に関するものである。
【背景技術】
【０００２】
遊技機における演出部としては、図柄の変動表示を行う「変動表示画面」や、遊技球の入賞によって特別入賞状態を形成する所謂「電動役物」があるが、これらの演出部は、パチンコ遊技の内容を決定する重要な部分であるだけでなく、遊技者が常に注意して様子を観察している部分となっている。
【０００３】
もし、遊技者が注目しているこの演出部が、突然隠されたり、あるいはこの演出部の前方に何かが通り過ぎたりすると、遊技者は「何か変化があるゾ」と期待感を持つことになって、演出部の演出の多様化が図れると考えられる。このような演出の多様化を目指した遊技機としては、特許文献１にて提案されている。
【特許文献１】特開２００７−６１４８８号公報、要約、図２
【発明の開示】
【発明が解決しようとする課題】
【０００４】
この特許文献１に記載された「遊技機」は、「駆動扉の上端側又は下端側にラックを設けて、駆動力を上下方向アンバランスな状態で駆動扉に伝達しているにもかかわらず、全閉状態では左右の駆動扉を隙間なく密着させることが可能な遊技機を提供する」ことを目的としてなされたもので、図２７に示すような構成のものである。
【０００５】
しかしながら、この特許文献１の「遊技機」では、図２７の（ａ）及び（ｂ）の比較から解るように、「表示手段３０の前側に配置された一対の駆動扉４１ａ，４１ｂ」が単に開閉されるだけで、それ以上の変化がないものである。
【０００６】
そこで、本発明者等は、遊技機における変動表示画面や電動役物のような演出部での演出をさらに多様化させて、遊技者に対する興趣をより一層高めるようにするにはどうしたらよいか、について種々検討を重ねてきた結果、本発明を完成したのである。
【０００７】
すなわち、本発明の目的とするところは、演出部での演出をさらに多様化することのできる遊技機を提供することにある。
【課題を解決するための手段】
【０００８】
以上の課題を解決するために、まず、請求項１に係る発明の採った手段は、
「遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面の少なくとも一部に装飾を施して、これを装飾面としたことを特徴とする遊技機」
である。
【０００９】
すなわち、この請求項１の遊技機は、まず、遊技球が流下する遊技領域が前面に形成された遊技盤を備えて、この遊技盤の前記遊技領域に対し、この遊技領域を流下する遊技球が入球可能な始動口と、この始動口への遊技球の入球に基づいて所定の動作を行う演出部と、が配設されたものであり、この演出部は、遊技に必要な種々な演出を行うものである。
【００１０】
また、この請求項１の遊技機は、上述した演出部の前方に位置するとともに、この演出部を遮蔽する遮蔽状態と、この演出部の少なくとも一部を露出させる露出状態と、に変化する遮蔽部材を備えたものであって、この遮蔽部材によって、上記演出部の遮蔽を行ったり、またこの遮蔽を解除したりする、第１段階の演出を、まず、行うものである。
【００１１】
ここで、演出部とは、例えば、図柄の変動表示を行って、大当たり状態やその他の状態を表示する表示画面や、遊技球自体の入賞によって、特別入賞状態やその他の状態を形成する所謂「電動役物」を言うものである。
【００１２】
また、遮蔽部材とは、物質的に上記演出部を遮蔽する遮蔽状態と、演出部の少なくとも一部を露出させる露出状態とを作り出すものを言い、図２３あるいは図２４に示すような一枚のものであっても、図２５あるいは図２６に示すような二枚のものであってもよく、その遮蔽（開閉）方向は、図２７の従来例に示すような左右方向は勿論、図２３〜図２６の上下方向も、また斜め方向も含むものである。
【００１３】
さらに、この請求項１の遊技機では、遮蔽部材が複数ある場合も想定しているが、この遮蔽部材が二枚である場合は勿論、三枚や四枚である場合も含むものであり、二枚の遮蔽部材の場合は、例えば図２５あるいは図２６に示したように構成される。また、この遮蔽部材が例えば三枚の場合には、例えば、各遮蔽部材の開閉方向を互いに１２０度傾斜するようにすればよいし、四枚の場合には、各遮蔽部材の開閉方向を互いに９０度傾斜するようにすればよい。
【００１４】
さて、上記第１段階の演出では、遊技者が注目している演出部を、遮蔽部材によって突然隠して遮蔽状態を作り出したり、この演出部の前方を遮蔽部材が通り過ぎたり、あるいは演出部の少なくとも一部を露出させて露出状態を作り出すものであり、遊技者に「何か変化があるゾ」と期待感を持たせることになって、演出部自体での演出とは別の演出を図るようにしたものである。
【００１５】
そして、この請求項１の遊技機では、遮蔽部材の開放端面の少なくとも一部に装飾を施して装飾面としてあるから、遮蔽部材によって演出部の露出状態が形成されたとき、図２３〜図２６の各（ｂ）に示すように、この遮蔽部材の装飾面が遊技者に向けて現れる、第２段階の演出を行うのである。勿論、遮蔽部材が複数のものからなる場合には、装飾面は、何れか少なくとも一つの部材に形成しておけばよい。
【００１６】
つまり、この第２段階の演出では、遮蔽部材の装飾面が遊技者に向けて現れるのであるから、遮蔽部材が閉じていたときには見えなかった装飾面の装飾が遊技者にハッキリと認識されることになるのである。
【００１７】
この装飾面の装飾としては、遊技者に認識できる方法であれば何であってもよく、開放端面の単なる着色や着色材の貼付は勿論、絵や模様、あるいは文字の書き込みやこれらの記載材の貼付だけでなく、例えば大当たりへの期待度の表示や大当たり告知であってもよい。しかも、この装飾面は、単なる反射光を利用したものであっても、所謂電飾を積極的に利用したものであってもよい。
【００１８】
この第２段階の演出では、装飾面は、遮蔽部材の少なくとも一部に形成されていればよいが、少なくとも一部とは、当該遮蔽部材が一枚の場合には、その開放端面の文字通り一部である場合は勿論、開放端面の全面を装飾面とすることを意味する。また、遮蔽部材が複数枚のものからなる場合には、これら遮蔽部材の少なくとも一枚について、その一部若しくは全面を装飾面とすることを意味する。
【００１９】
また、この第２段階の演出では、装飾面は、図２３〜図２６に示すように、遮蔽部材の厚さよりも広い面積を有するものとしておくことが、これに付した装飾を遊技者に見せるのに有利である。また、この装飾面は、図２３あるいは図２５に示すような、上枠や他の端面に当接できる水平状にしたものであっても、図２４あるいは図２６に示すような傾斜状にしたものであってもよい。
【００２０】
従って、この請求項１の遊技機によれば、演出部自体の演出効果や、遮蔽部材の開閉による演出効果だけでなく、この遮蔽部材に設けた装飾面による演出効果をも発揮することができて、パチンコ遊技の興趣がより一層高まったものとなっているのである。
【００２１】
上記課題を解決するために、請求項２に係る発明の採った手段は、
「遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面は、前記遮蔽状態のときには前記演出部を正面視した場合に視認不能または視認困難な状態にされるとともに、前記露出状態のときには前記遮蔽状態のときよりも前記遊技領域の前方側に向く状態にされることを特徴とする遊技機」
である。
【００２２】
すなわち、この請求項２の遊技機では、前記遮蔽部材の開放端面を、前記遮蔽状態のときには前記演出部を正面視した場合に視認不能または視認困難な状態にするとともに、前記露出状態のときには前記遮蔽状態のときよりも前記遊技領域の前方側に向く状態にするようにしたことが、上記請求項１のそれと異なるものであり、それ以外は、上記請求項１の遊技機と同様である。
【００２３】
換言すれば、この請求項２の遊技機においては、遊技者が前記演出部を正面視している場合であって、前記遮蔽部材が遮蔽状態のときには、この遮蔽部材の開放端面が視認不能または視認困難な状態にされるのである。一方、前記遮蔽部材が前記露出状態のときには、この遮蔽部材の開放端面が前記遮蔽状態のときよりも前記遊技領域の前方側に向く状態にされるのである。
【００２４】
この請求項２の遊技機において、遮蔽部材の開放端面が視認不能または視認困難な状態とは、この開放端面に請求項１で述べた「装飾面」が形成されているか否かに拘わらず、遮蔽部材の開放端面自体が遊技者にとって視認不能または視認困難になっている状態を言い、一方、この遮蔽部材の開放端面が前記遮蔽状態のときよりも前記遊技領域の前方側に向く状態とは、この開放端面に請求項１で述べた「装飾面」が形成されているか否かに拘わらず、遮蔽部材の開放端面自体が前記遊技領域の前方側により向かうことになって、遊技者がこの遮蔽部材の開放端面自体を視認できる状態になることを言うものである。
【００２５】
以上の結果、この請求項２の遊技機においても、前記遮蔽部材によって上記演出部の遮蔽を行ったり解除したりする、第１段階の演出と、遮蔽部材の開放端面自体が遊技者にとって視認可能または視認容易になる第２段階の演出とを行うものである。
【００２６】
特に、上記第２段階の演出では、遮蔽部材の開放端面が遊技者に向けて現れるのであるから、遮蔽部材が閉じていたときには見えなかった装飾端面が遊技者にハッキリと認識されることになるのである。このため、遮蔽部材自体が着色されたものであれば、その色が開放端面にて現れることになり、遮蔽部材が透明または半透明材料で形成してあって、発光部材が開放端面とは別の位置に配置してある場合には、発光部材からの光が当該開放端面にて乱反射して、この開放端面自体が発光することになるのである。
【００２７】
従って、この請求項２の遊技機によれば、演出部自体の演出効果や、遮蔽部材の開閉による演出効果だけでなく、この遮蔽部材の開放端面による演出効果をも発揮することができて、パチンコ遊技の興趣がより一層高まったものとなっているのである。
【００２８】
上記課題を解決するために、請求項３に係る発明の採った手段は、上記請求項１または請求項２に記載のパチンコ機について、
「前記開放端面または装飾面を遊技者に面するようにしたこと」
である。
【００２９】
すなわち、この請求項３の遊技機においては、上記遮蔽部材の開放端面、またはこれに形成した装飾面を遊技者側に積極的に面するようにしたものであり、その方法としては、図２４または図２６に示すように、開放端面または装飾面を遊技者側に向かう角度に傾斜させることは勿論、例えば、これらの開放端面または装飾面の表面の断面を円弧状にすることがある。
【００３０】
これにより、この請求項３の遊技機においては、遮蔽部材の開放端面、またはこれに形成した装飾面が遊技者に積極的に面することになるから、遮蔽部材が開放されたときに、開放端面自体、あるいはこれに形成してある装飾面の装飾を遊技者に確実に見せることができるのである。つまり、この請求項３の遊技機では、遮蔽部材が開放されたとき、図２３〜図２６の各（ｂ）に示すように、この遮蔽部材の開放端面、またはこれに形成した装飾面が遊技者に向けて現れる、第２段階の演出を行うのである。勿論、遮蔽部材が複数のものからなる場合には、遊技者に向けて現れる開放端面または装飾面は、何れか少なくとも一つの遮蔽部材に形成してあればよい。
【００３１】
この遮蔽部材の開放端面、またはこれに形成した装飾面による第２段階の演出では、遮蔽部材の開放端面、またはこれに形成した装飾面が遊技者に向けて現れるのであるから、遮蔽部材が閉じていたときには見えなかった開放端面自体、あるいはこれに形成した装飾面の装飾が遊技者にハッキリと認識されることになるのである。
【００３２】
この開放端面の装飾としては、これ自体の着色や発光は勿論、単なる絵や模様、あるいは文字だけでなく、例えば大当たりへの期待度の表示や大当たり告知であってもよい。また、装飾面の装飾としては、発光は勿論、単なる絵や模様、あるいは文字だけでなく、例えば大当たりへの期待度の表示や大当たり告知であってもよい。
【００３３】
従って、この請求項３に係る遊技機においては、上記請求項１または請求項２のそれと同様な機能を発揮する他、開放端面または装飾面の装飾をより確実に遊技者に見せることができて、パチンコ遊技の興趣がより一層高まったものとなっているのである。
【００３４】
上記課題を解決するために、請求項４に係る発明の採った手段は、上記請求項１〜請求項３のいずれかに記載の遊技機について、
「前記遮蔽部材を、各開放端面にて当接し合う複数のものによって構成したこと」
である。
【００３５】
すなわち、この請求項４の遊技機においては、図２５あるいは図２６に示すように、遮蔽部材を複数のものによって構成したものであり、かつ、各遮蔽部材の開放端面が互いに当接し合うものとしたものである。勿論、これら各遮蔽部材の遮蔽（開閉）方向は、これらが二枚ある場合には、図２７の従来例に示すような左右方向は勿論、図２３〜図２６の上下方向も、また斜め方向も含むものであることは、前述した遮蔽部材の場合と同様である。
【００３６】
また、遮蔽部材が複数ということは、上述した二枚である場合は勿論、三枚や四枚である場合も含むが、例えば三枚の場合には、各シャッターの開閉方向を互いに１２０度傾斜するようにすればよいし、四枚の場合には、各シャッターの開閉方向を互いに９０度傾斜するようにすればよい。
【００３７】
勿論、各遮蔽部材の開放端面の何れか少なくとも１つには、上記装飾面が形成してあり、当該遮蔽部材が開放されたときには、この装飾面が遊技者に現れることは言うまでもない。
【００３８】
このように、遮蔽部材を複数のものによって構成すれば、遮蔽部材を開放するための待避空間を分割できて、待避距離も半分にすることができるから、演出部材の周囲の限られた空間を有効に利用しながら、当該遮蔽部材の組込を行うことができるのである。
【００３９】
従って、この請求項４の遊技機では、上記請求項１または２のそれと同様な機能を発揮する他、遊技機の限られた空間を有効に利用しながら、当該遮蔽部材の組込が行えるものとなっているのである。
【００４０】
また、上記課題を解決するために、請求項５に係る発明の採った手段は、上記請求項１〜請求項４のいずれかに記載の遊技機について、
「前記遮蔽部材は、その側部に配置した案内レールによって案内するようにしたこと」
である。
【００４１】
すなわち、この請求項５の遊技機では、遮蔽部材を案内レールによって案内するようにしたものであり、かつ、この案内レールを、遮蔽部材の側部に配置したものである。
【００４２】
遮蔽部材の開閉は、後述する最良形態で説明するようなモータや、電磁ソレノイド等の開閉装置によって行われるが、当該請求項５の遊技機では、遮蔽部材が側部に配置した案内レールによって案内されるから、安定した状態で開閉が行われることになる。
【００４３】
特に、遮蔽部材を複数のもので構成した場合には、上記開閉装置による開閉距離が半分になるから、案内レールによる遮蔽部材の案内は、より安定した状態でなされることになる。
【００４４】
従って、この請求項５の遊技機は、上記請求項１〜３のそれと同様な機能を発揮する他、案内レールによって遮蔽部材の開閉を安定した状態で行えるものとなっているのである。
【００４５】
上記課題を解決するために、請求項６に係る発明の採った手段は、上記請求項１〜請求項５のいずれかに記載の遊技機について、
「前記遮蔽部材の少なくとも１つを、互いに傾動可能に連結した複数のブレードによって構成したこと」
である。
【００４６】
すなわち、この請求項６の遊技機では、その遮蔽部材の何れか少なくとも１つを、複数のブレードによって構成するとともに、各ブレードについて、互いに傾動可能に連結したものである。これにより、複数のブレードによって形成した遮蔽部材については、その開閉方向を直線に限らず、曲線方向にも形成できるものである。
【００４７】
このため、複数のブレードによって形成したものについては、その開閉のための案内方向に制限を受けることなく、その設計や遊技機に対する組込が行えるのである。また、複数のブレードによって形成したものについては、各ブレードが傾動可能になっているのであるから、その開閉のための案内が円滑に行え、特に遮蔽部材の側部に配置した案内レールを使用する場合には、この案内レールの形状を自由曲線にすることができることになる。
【００４８】
従って、この請求項６に係る遊技機は、上記請求項４または４のそれと同様な機能を発揮する他、複数のブレードによって形成したものについて、その開閉をより一層安定的に行えるのである。
【００４９】
さらに、上記課題を解決するために、請求項７に係る発明の採った手段は、上記請求項６に記載の遊技機について、
「前記案内レールを、前記ブレードの外側用のものと、他のブレード用のものとに分けて、前記外側ブレード用の案内レールの開放端部を、当該遊技機の裏面側に向けたこと」
である。
【００５０】
すなわち、この請求項７の遊技機では、側部に配置した案内レールによって案内される遮蔽部材を複数のものによって構成するとともに、何れか少なくとも１つの遮蔽部材について、互いに傾動可能に連結した複数のブレードによって構成したものを対象としていて、かつ、上記案内レールを、前記ブレードの外側用のものと、他のブレード用のものとに分けたものである。換言すれば、この請求項７の遊技機では、遮蔽部材の側部に配置した案内レールを、前記ブレードの外側用のものと、他のブレード用のものとの２本によって構成したものである。
【００５１】
そして、この請求項７の遊技機では、外側ブレード用の案内レールの開放端部について、当該遊技機の裏面側に向けるようにしたものである。つまり、この遊技機では、遮蔽部材を構成している何れか少なくとも１つのものについては、その開放時に、外側になっているブレードを、当該遊技機の裏側、換言すれば、演出部の前面から後退させるように引き込めるようにしたものである。
【００５２】
このようにすることによって、装飾面を有している遮蔽部材は、その外側のブレードが演出部の前面から後退させるように引き込まれるため、この外側ブレードの後退によって、他のブレードの装飾面が形成してあるのとは反対の端部も、演出部の前面から後退させるように引き込まれる。この結果、装飾面が形成してあるブレードは、強制的に傾斜させられ、装飾面が遊技者に向かうことになるのである。
【００５３】
従って、この請求項７の遊技機では、上記請求項６のそれと同様な機能を発揮する他、遮蔽部材の開放に伴って装飾面が遊技者に積極的に向かうものとなっていて、パチンコ遊技の興趣がより一層高まるものとなっているのである。
【００５４】
そして、上記課題を解決するために、請求項８に係る発明の採った手段は、上記請求項１〜請求項７のいずれかに記載の遊技機について、
「前記装飾面を光らせるようにしたこと」
である。
【００５５】
すなわち、この請求項８の遊技機では、上述してきた装飾面が積極的に光るようにしたものであり、これにより、パチンコ遊技がさらに興趣の高いものとなるようにしたものである。
【００５６】
前記装飾面を光らせるようにするには、当該装飾面となっている開放端面を透明部材で形成しておいて、この開放端面の裏側に、光を発するランプや発光ダイオードを設けることは勿論、透明部材ではない開放端面に、店内の光を反射するシートやラベルを貼るだけでも良い。勿論、光を発するランプや発光ダイオードを設けた場合には、点滅やグラデーション変化をさせるようにすれば、より一層興趣が高まることは、言うまでもない。
【００５７】
従って、この請求項８の遊技機は、上記請求項１〜６のそれと同様な機能を発揮することは勿論、装飾面からの光によってパチンコ遊技が興趣の高いものとなるのである。
【発明の効果】
【００５８】
以上、説明した通り、まず、請求項１に係る発明においては、
「遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面の少なくとも一部に装飾を施して、これを装飾面としたこと」
にその構成上の特徴があり、これにより、演出部自体の演出効果や、遮蔽部材の開閉による演出効果だけでなく、この遮蔽部材に設けた装飾面による演出効果をも発揮することができて、パチンコ遊技の興趣がより一層高まったものとすることができるのである。
【００５９】
また、請求項２に係る発明においては、
「遊技球が流下する遊技領域が前面に形成された遊技盤を備え、
この遊技盤の前記遊技領域に対し、この遊技領域を流下する遊技球が入球可能な始動口と、この始動口への遊技球の入球に基づいて所定の動作を行う演出部と、が配設されるとともに、
前記演出部の前方に位置するとともに、この演出部を遮蔽する遮蔽状態と、前記演出部の少なくとも一部を露出させる露出状態と、に変化する遮蔽部材を備えた遊技機であって、
前記遮蔽部材の開放端面は、前記遮蔽状態のときには前記演出部を正面視した場合に視認不能または視認困難な状態にされるとともに、前記露出状態のときには前記遊技領域の前方側に向く状態にされること」
にその構成上の特徴があり、これにより、演出部自体の演出効果や、遮蔽部材の開閉による演出効果だけでなく、この遮蔽部材の開放端面による演出効果をも発揮することができて、パチンコ遊技の興趣がより一層高まったものとすることができるのである。
【発明を実施するための最良の形態】
【００６０】
次に、上記のように構成した各請求項に係る発明を、図面に示した最良の形態に基づいて説明すると、図１には、パチンコ遊技を行う遊技機のための、本発明を実施した遊技盤１０の正面図が示してある。この遊技盤１０は、パチンコ遊技機に組み付けられるものであり、図示しない遊技球が流下する遊技領域１１を前面に形成したものである。また、この遊技機においては、その遊技盤１０の遊技領域１１に対して、この遊技領域１１を流下する遊技球が入球可能な始動口１２が設けられているものであり、この始動口１２への遊技球の入球に基づいて所定の動作を行う演出部２０が、図２等に示すように、当該遊技盤１０の背面側に配設してある。
【００６１】
本最良形態で示した演出部２０は、所謂「変動表示装置」であり、始動口１２への遊技球の入球に基づいて図柄を変動表示させて、大当たり表示またはその他の表示等の、所定の表示や動作を行うものである。勿論、本発明で対象としている演出部２０は、このような変動表示装置に限るものではなく、例えば、遊技球自体の入賞によって特別入賞状態やその他の状態を形成する所謂「電動役物」や、電動表示ではなく実際の物であるフィギアが動いて種々な演出を行うものを含み、多様な演出を行って遊技に興趣を付与する全ての「演出」部を含むものである。
【００６２】
なお、本最良形態では、図１〜図３と、図７〜図９との比較から理解できるように、この演出部２０については、その正面形状を横長の長方形状とするとともに、後述する各遮蔽部材３０を上下方向に開閉するものとしてあり、これにより、両遮蔽部材３０による演出部２０の遮蔽及び開放を短時間内で行えるようにしている。このようにすることによって、演出部２０を開いた状態と閉じた状態との切り替わりが素早くなるため、演出部２０による演出が間延びしないことになる。
【００６３】
また、遊技盤１０の遊技領域１１には、種々な装飾を施した枠ユニット４０が取り付けてあって、この枠ユニット４０の開口４０ａから開閉作動を行う遮蔽部材３０が臨むようにしてある。なお、この枠ユニット４０は、図１６〜図１８に示したように、上記開口４０ａを透明板４１によって覆うようにしてあり、この枠ユニット４０の開口４０ａを囲む部分には、遊技球が転動して複雑な動きをするようにした球通路４２が形成してある。
【００６４】
本最良形態の枠ユニット４０は、透明または半透明材料によって形成したものであり、内部や近傍に設置した発光部材からの光が複雑に透過したり反射したりするようにしてある。これにより、本最良形態の遊技機では、この枠ユニット４０からの透過光や反射光によって、この枠ユニット４０によっても複雑な演出が可能となるようにしてある。
【００６５】
さて、遮蔽部材３０であるが、本最良形態では、上述したように、上下二つの遮蔽部材３０によって、図１に示した演出部２０の遮蔽状態と、図７に示した演出部２０の開放状態とが形成できるようにしている。図１に示した演出部２０の遮蔽状態では、両遮蔽部材３０の開放端面３１が、枠ユニット４０の開口４０ａ内の略中央にて横方向に当接しあっており、図７に示した演出部２０の開放状態では、両遮蔽部材３０の開放端面３１が上下に移動して、枠ユニット４０の開口４０ａ内の略全部を開放しており、この開口４０ａの背面に位置する演出部２０を見えるようにしている。
【００６６】
なお、これら各遮蔽部材３０については、これを光透過性のある材料によって形成しておいて、各遮蔽部材３０の背後に光を発するもの（例えば発光ＬＥＤ）を配置しておけば、これらの遮蔽部材３０が閉じたときにはその全面を発光させ、遮蔽部材３０が閉じたときには開放端面３１を発光させるようにすることができる。換言すれば、各遮蔽部材３０が閉じたときには前面から発光させ、各遮蔽部材３０が開いたときには各開放端面３１から発光させて、両方の方法でこれらの遮蔽部材３０による発光による演出ができることになる。
【００６７】
特に、発光ＬＥＤを遮蔽部材３０の背面から少し距離を置いた状態で配置すれば、これからの光を遮蔽部材３０自体は勿論、その開放端面３１からも発することができるから、各遮蔽部材３０を閉じたときに、各開放端面３１が当接しあっている合わせ目近傍が暗くならないようにすることができる。
【００６８】
本最良形態における上側の遮蔽部材３０は、図２〜図１５、及び図１９〜図２２に示したように、横長で二枚のブレード３０ａによって構成したものであり、これらのブレード３０ａは、図１３〜図１５にも示したように、両者間の背面側端縁で枢着ピン３０ｂにて連結したものである。これにより、これら二枚のブレード３０ａは、枢着ピン３０ｂによって互いに傾動可能になっており、図１３〜図１５に示したような状態に傾動変化できるものとなっているのである。これによって、当該上側の遮蔽部材３０の案内を後述するように行えることは勿論、例えば図２に示したように、大型の遮蔽部材３０を採用したとしても、この上側遮蔽部材３０が演出部２０を確実に避けながら移動することになり、遊技機背面の狭い空間を有効に利用できるのである。
【００６９】
この上側の遮蔽部材３０は、後述する下側の遮蔽部材３０と同様に、その左右両側に位置するレール板３３によって両側縁が案内されるようになっている。各レール板３３の内面には、図１９、図２１、及び図２２に示したように、第１案内レール３３ａ〜第３案内レール３３ｃの３種類の案内レールが形成してあり、これらの第１案内レール３３ａ〜第３案内レール３３ｃ内には、図３及び図９に示したように、各遮蔽部材３０の側面に取り付けられる係合ピン３４及び連結係合ピン３５が係合される。
【００７０】
各レール板３３に形成した第１案内レール３３ａは、例えば図２１に示したように、レール板３３の上下方向に位置する直線状のものであり、各遮蔽部材３０を外側の駆動ユニット５０と連結するために、当該レール板３３を貫通するものとしてある。各レール板３３の第２案内レール３３ｂは、図２１に示したように、その前部を上記第１案内レール３３ａの上部の後側に配置して第１案内レール３３ａと平行になるようにしたものであり、後部については、第１案内レール３３ａから離れながら後部上方に向けて傾斜するようにしたものである。そして、各レール板３３の第３案内レール３３ｃについては、第１案内レール３３ａの後側下部から始まって、さらに後方下部に向けて傾斜するようにしたものである。
【００７１】
以上のように、各レール板３３に第１案内レール３３ａ〜第３案内レール３３ｃを形成したことによって、各遮蔽部材３０の案内を後述するように行えることは勿論、例えば図２に示したように、大型の遮蔽部材３０を採用したとしても、これらの遮蔽部材３０が演出部２０を確実に避けながら移動することになるので、遊技機背面の狭い空間を有効に利用できるのである。
【００７２】
ここで、上記第１案内レール３３ａ〜第３案内レール３３ｃに係合される各係合ピン３４は、遮蔽部材３０の左右両側面に取り付けられるとともに、この取付部分とは反対側部分にて、上記第１案内レール３３ａ〜第３案内レール３３ｃに係合されて、各遮蔽部材３０の第１案内レール３３ａ〜第３案内レール３３ｃに沿った動きを確保するものである。これに対して、連結係合ピン３５は、遮蔽部材３０の左右両側面に取り付けられ、かつ上記第１案内レール３３ａに係合されて、各遮蔽部材３０の第１案内レール３３ａに沿った動きを確保することは上記係合ピン３４と同様であるが、その外端にて後述する駆動ユニット５０側のラック５３に形成してある連結部５３ａに連結されて、駆動ユニット５０の駆動モータ５０ａの駆動力を遮蔽部材３０に伝達するものである。
【００７３】
また、各レール板３３については、図２及び図８に示したように、その前面が前述した枠ユニット４０の直後に位置することになるものである。このため、このレール板３３を透明または半透明材料によって形成するとともに、このレール板３３内あるいは近傍に発光体を設けておけば、この発光体からの光を当該レール板３３を通して枠ユニット４０から投射させたり、当該枠ユニット４０自体を発光させることができる。これによっても、枠ユニット４０自体を演出効果の高いものとすることができる。
【００７４】
さて、上側の遮蔽部材３０については、レール板３３の縦方向に直線状に形成した第１案内レール３３ａと、この第１案内レール３３ａの上部の背面側に一部が平行で他部が第１案内レール３３ａから上方に向けて湾曲する第２案内レール３３ｂとに、係合ピン３４及び連結係合ピン３５によって係合するようにしてあった。これにより、この上側の遮蔽部材３０は、第１案内レール３３ａ及び第２案内レール３３ｂの案内と、後述する駆動ユニット５０による駆動とによって、図１３〜図１５に示したような動きをすることになる。
【００７５】
この上側の遮蔽部材３０が、図１３〜図１５に示したように動くにあたって、これを構成している各ブレード３０ａが、次のような重要な変化をする。本最良形態の場合、図１３に示したように、まず、図示下側になっているブレード３０ａの下部は、これに取り付けてある連結係合ピン３５によって、第１案内レール３３ａに係合されるとともに後述する駆動ユニット５０の駆動モータ５０ａに連結してあるから、駆動モータ５０ａによる開閉のための駆動力が伝達されるとともに、第１案内レール３３ａによって上下方向にのみ案内される。一方、図１３に示したように、図示下側になっているブレード３０ａの上部は、これに取り付けてある係合ピン３４によって、第２案内レール３３ｂに係合されているだけであるから、こ第２案内レール３３ｂの案内方向に沿って案内される。勿論、両ブレード３０ａは、上述したように、その中間にて枢着ピン３０ｂによって傾動可能に連結してあった。
【００７６】
ここで、駆動ユニット５０の駆動モータ５０ａの駆動力が、下側のブレード３０ａに伝達されると、例えば、図１４に示したように、この下側のブレード３０ａは、上下方向に沿って上動される。何故なら、この１４に示した位置までの第１案内レール３３ａ及び第２案内レール３３ｂは、その案内方向が上下方向になっているからである。そして、この下側ブレード３０ａの上動時においては、上側のブレード３０ａは、下側のブレード３０ａによって押し上げられるのであるが、この上側のブレード３０ａは、片側一個の係合ピン３４によって第２案内レール３３ｂによって案内されており、かつ枢着ピン３０ｂによって下側ブレード３０ａと傾動可能に連結されているから、図１４に示したように、第２案内レール３３ｂによって案内されて後方斜め上方に傾斜することになるのである。
【００７７】
そして、下側ブレード３０ａがさらに上動されると、図１５に示したように、下側の連結係合ピン３５は上下方向になっている第１案内レール３３ａに案内されるものの、第２案内レール３３ｂに係合してあった上側の係合ピン３４が、この第２案内レール３３ｂの曲がりに応じて案内されるから、この下側ブレード３０ａもその上部が後方になるように傾斜することになる。そうなると、この下側ブレード３０ａに形成されている遮蔽部材３０の開放端面３１が、図７及び図８にも示したように、斜め前方に向かうように傾斜することになるのである。
【００７８】
さて、今度は、下側の遮蔽部材３０について説明すると、この下側遮蔽部材３０は、図２〜図１５、図１９〜図２２に示したように、一枚ものとして構成したものであり、その左右両側には、レール板３３の上記第１案内レール３３ａと第３案内レール３３ｃとに係合される係合ピン３４及び連結係合ピン３５が取り付けてある。ここで、第３案内レール３３ｃは、図１３〜図１５に示したように、上下方向になっている第１案内レール３３ａの下部背面から始まって、遊技盤１０の背面下方に直線状に傾斜するものである。
【００７９】
この下側の遮蔽部材３０では、後述する枠ユニット４０の駆動モータ５０ａに連結される連結係合ピン３５が上部に取り付けられて第１案内レール３３ａに係合されるのであり、係合ピン３４は、当該遮蔽部材３０の下部に取り付けられて第３案内レール３３ｃ内に係合されるものである。その結果、この下側の遮蔽部材３０に駆動モータ５０ａの駆動力が伝達されると、まず例えば、図１４に示したように、その下部は第３案内レール３３ｃに係合している係合ピン３４によって下部後方に案内され、上部は第１案内レール３３ａ内を下方に下がるように案内されるから、この下側遮蔽部材３０の開放端面３１は連結係合ピン３５を中心に前方（遊技者の方向）に傾斜し始めるのである。
【００８０】
そして、この下側遮蔽部材３０の開放最終段階に至ると、図１５に示したように、この下側遮蔽部材３０は最大限前方に傾斜することになる。そうすると、この下側遮蔽部材３０の開放端面３１は、図７〜図１０に示したように、遊技者に向けて最大限傾斜することになり、この開放端面３１が装飾面３２となっていれば、例えば図１１の（ａ）にも示したように、この装飾面３２に形成してある装飾が遊技者に向けて大きく訴え掛けることになるのである。
【００８１】
この装飾面３２は、例えば図１１の（ａ）にも示したような絵や文字であってもよいが、遊技者に認識できるものであればどのようにしてもよいものであり、例えば開放端面３１自体への単なる着色や着色材の貼付であってもよい。勿論、この装飾面３２としては、絵や模様、あるいは文字を書き込んだものを貼付することによって形成したものだけでなく、例えば開放端面３１自体に組み込んだ発光ダイオード等によって、大当たりへの期待度の表示や大当たり告知を行うものであってもよい。つまり、この装飾面３２は、単なる反射光や透過光を利用して形成したものであっても、所謂電飾を積極的に利用したものであってもよいものである。
【００８２】
ところで、本最良形態では、以上の各遮蔽部材３０の開閉を行う駆動ユニット５０は、図１９〜図２２に示したように構成してある。この駆動ユニット５０は、第１案内レール３３ａ〜第３案内レール３３ｃを設けた上述した両レール板３３の外側に組み込まれるものであり、その駆動モータ５０ａによって、二枚の遮蔽部材３０の上下方向に対する開閉を行うものである。
【００８３】
この駆動ユニット５０の基本的特徴は、図２０に示したように、上下方向に平行な２本のラック５３の間に一個のピニオン５４を介装させて、この一個のピニオン５４の回転によって２本のラック５３を互いに反対方向に平行移動させるようにしたことである。つまり、一個のピニオン５４は、各駆動ユニット５０を構成している一個の駆動モータ５０ａに連結されるものであって、その回転位置を不変とするものであるが、この回転位置不変であるピニオン５４の回転によって、その両側に配置した２本のラック５３を上下動させるものである。
【００８４】
すなわち、各駆動ユニット５０は、図２０にも示したように、駆動モータ５０ａを取り付けてこれを支持する支持台５１と、この支持台５１の内側に配置される案内台５２と、この案内台５２内に上下動自在に組み込まれる２本のラック５３と、これらのラック５３間に配置されるピニオン５４とを備えている。このピニオン５４は、案内台５２内に配置されることは勿論、この案内台５２の略中央に形成してある穴から突出してくる駆動モータ５０ａの回転軸に連結されるものである。
【００８５】
以上の結果、これら各駆動ユニット５０においては、駆動モータ５０ａの回転力によってピニオン５４が回転されると、これに噛合している各ラック５３がピニオン５４の回転方向に応じた上下動をすることになる。この上下動は、両ラック５３を収納した案内台５２によって保証されているが、この案内台５２には、図２０にも示したようにスリットが形成してある。このスリットは、各ラック５３に形成してある連結部５３ａに、レール板３３の貫通している第１案内レール３３ａから突出してくる各連結係合ピン３５を連結するためのものである。換言すれば、各駆動ユニット５０を構成してる案内台５２は、ラック５３やピニオン５４の収納を行うとともに、各ラック５３の連結部５３ａに対する連結係合ピン３５の連結を可能にしながら、かつこの連結係合ピン３５の上下方向の動きをも可能にするものである。
【００８６】
なお、本最良形態の遊技盤１０の裏面下部には、図２に示したように、電気部品取付部７０が形成してあり、この電気部品取付部７０には、種々な電機部品が取り付けられる。また、レール板３３の下部背面には、制御基板６０が設けられるものであり、この制御基板６０に対しては、上記の種々な電気部品からの信号線が接続される。さらに、レール板３３の下部は、カバーによって覆われることがあり、これにより、上記制御基板６０と電気部品取付部７０との間に、不正基板を収納したり、無駄となるような空間ができないようにしてある。
【００８７】
上記の電気部品としては、例えば始動口１２に入賞した遊技球が入り込む通通路内に配置した始動口スイッチ、遊技球の演出部２０内への入賞を選択的に許容する羽根を開閉するソレノイド、演出部２０の大入賞口扉を開閉するためのソレノイド、大入賞口内への遊技球の入賞を検知する大入賞口検出スイッチ、中継基板、ＬＥＤ基板が含まれる。
【００８８】
また、制御基板６０としては、遊技機全体の制御を行う主制御基板は勿論のこと、上記演出部２０での変動表示制御を行う基板、遊技機の音声制御やランプ制御を行う基板、当該遊技機の状態をＬＥＤによって表示する基板、あるいは種々な中継基板を含むものである。
【００８９】
そして、この最良形態に係る遊技機では、以上例示した制御基板６０と前記所定の電気部品との間に、遮蔽部材３０またはその可動範囲を設けるようにしたものである。
【００９０】
この遮蔽部材３０またはその可動範囲を、制御基板６０と前記電気部品との間に設けると、この遮蔽部材３０等の存在によって、不正基板や、これと制御基板６０や前記電気部品とを接続する配線の設置スペースがなくなる。つまり、不正基板やそのための配線を隠して不正行為を行おうとしても、これらを隠そうとするためのスペースが、遮蔽部材３０やその可動範囲の存在によって制限を受けるのであるから、不正行為が困難になるのである。
【図面の簡単な説明】
【００９１】
【図１】本発明に係る遊技機に使用される遊技盤、及びこれに設けた遮蔽状態にある遮蔽部材の正面図である。
【図２】図１に示した遊技盤及びこれに設けた遮蔽部材の縦断面図である。
【図３】同遮蔽部材をレール板及び駆動ユニットとともにユニット化した状態の正面図である。
【図４】図３に示したものの断面であって、各遮蔽部材と第１案内レール〜第３案内レールとの位置関係を示す縦断面図である。
【図５】図３に示したユニットを別方向から見たもので、（ａ）は斜視図、（ｂ）は背面図である。
【図６】図３に示したユニットをさらに別方向から見たもので、（ａ）は平面図、（ｂ）は側面図である。
【図７】本発明に係る遊技機に使用される遊技盤、及びこれに設けた開放状態にある遮蔽部材の正面図である。
【図８】図７に示した遊技盤及びこれに設けた遮蔽部材の縦断面図である。
【図９】開放状態にある同遮蔽部材をレール板及び駆動ユニットとともにユニット化した状態の正面図である。
【図１０】図９に示したものの断面であって、各遮蔽部材と第１案内レール〜第３案内レールとの位置関係を示す縦断面図である。
【図１１】図１０に示したユニットを別方向から見たもので、（ａ）は斜視図、（ｂ）は背面図である。
【図１２】図１０に示したユニットをさらに別方向から見たもので、（ａ）は平面図、（ｂ）は側面図である。
【図１３】遮蔽状態にある各遮蔽部材と第１案内レール〜第３案内レールとの位置関係を概略的に示す拡大縦断面図である。
【図１４】半開き状態にある各遮蔽部材と第１案内レール〜第３案内レールとの位置関係を概略的に示す拡大縦断面図である。
【図１５】全開状態にある各遮蔽部材と第１案内レール〜第３案内レールとの位置関係を概略的に示す拡大縦断面図である。
【図１６】各遮蔽部材の外側を覆う枠ユニットの斜視図である。
【図１７】同枠ユニットを示すもので、（ａ）は正面図、（ｂ）は背面図である。
【図１８】同枠ユニットを示すもので、（ａ）は平面図、（ｂ）は側面図、（ｃ）は中心線に沿ってみた縦断面図、（ｄ）は分解縦断面図である。
【図１９】遮蔽状態にある二つの遮蔽部材を中心にして、これに取り付けられるレール板及び駆動ユニットを分解して示した斜視図である。
【図２０】図１９に示した各駆動ユニットを拡大して示した分解斜視図である。
【図２１】図１９に示した各遮蔽部材とレール板との位置関係を拡大して示した分解斜視図である。
【図２２】開放状態にある二つの遮蔽部材を中心にして、これに取り付けられるレール板及び駆動ユニットを分解して示した斜視図である。
【図２３】本発明の基本構成の第１例を示すもので、（ａ）は一枚の遮蔽部材が開放されたときの断面図、（ｂ）は遮蔽部材による遮蔽が行われたときの断面図である。
【図２４】本発明の基本構成の第２例を示すもので、（ａ）は一枚の遮蔽部材による遮蔽が行われたときの断面図、（ｂ）は遮蔽部材が開放されたときの断面図、である。
【図２５】本発明の基本構成の第３例を示すもので、（ａ）は二枚の遮蔽部材による遮蔽が行われたときの断面図、（ｂ）は遮蔽部材が開放されたときの断面図である。
【図２６】本発明の基本構成の第４例を示すもので、（ａ）は二枚の遮蔽部材による遮蔽が行われたときの断面図、（ｂ）は遮蔽部材が開放されたときの断面図である。
【図２７】従来の技術を示すもので、（ａ）は遮蔽部材が開放されたときの正面図、（ｂ）は遮蔽部材による遮蔽がなされたときの正面図である。
【符号の説明】
【００９２】
１０    遊技機
１１    遊技盤
１２    始動口
２０    演出部
３０    遮蔽部材
３０ａ  ブレード
３０ｂ  枢着ピン
３１    開放端面
３２    装飾面
３３    レール板
３３ａ  第１案内レール
３３ｂ  第２案内レール
３３ｃ  第３案内レール
３４    係合ピン
３５    連結係合ピン
４０    枠ユニット
４０ａ  開口
４１    透明板
４２    球通路
５０    駆動ユニット
５０ａ  駆動モータ
５１    支持台
５２    案内台
５３    ラック
５３ａ  連結部
５４    ピニオン
６０    制御基板
７０    電気部品取付部
【図１】
2009142365.tif 000003
【図２】
2009142365.tif 000004
【図３】
2009142365.tif 000005
【図４】
2009142365.tif 000006
【図５】
2009142365.tif 000007
【図６】
2009142365.tif 000008
【図７】
2009142365.tif 000009
【図８】
2009142365.tif 000010
【図９】
2009142365.tif 000011
【図１０】
2009142365.tif 000012
【図１１】
2009142365.tif 000013
【図１２】
2009142365.tif 000014
【図１３】
2009142365.tif 000015
【図１４】
2009142365.tif 000016
【図１５】
2009142365.tif 000017
【図１６】
2009142365.tif 000018
【図１７】
2009142365.tif 000019
【図１８】
2009142365.tif 000020
【図１９】
2009142365.tif 000021
【図２０】
2009142365.tif 000022
【図２１】
2009142365.tif 000023
【図２２】
2009142365.tif 000024
【図２３】
2009142365.tif 000025
【図２４】
2009142365.tif 000026
【図２５】
2009142365.tif 000027
【図２６】
2009142365.tif 000028
【図２７】
2009142365.tif 000029